(57)【要約】【課題】配布コピー機能により得られたカラーコピーの印刷物及び白黒コピーの印刷物をユーザが容易に判別できるようにする。【解決手段】白黒／カラー判定部６１により原稿の画像データから原稿の一枚目の画像が白黒画像であるか否かが判定され、カラーモード判定部６２によって、自動カラーモードが設定されているか否かが判定され、白黒／カラー判定部６１及びカラーモード判定部６２の判定結果によって、原稿の一枚目の画像が白黒画像であり、かつ、自動カラーモードが設定されている場合、カラーコピーを行う際に、画像形成部３３が原稿の１ページ目の白黒画像を記録紙上に形成すると共に白黒画像に重ねてカラーの識別マークを記録紙の隅部に形成する。【選択図】  図２
2005024800.tif 000002
【特許請求の範囲】
【請求項１】
複数枚からなる原稿の束に対する白黒コピー及びカラーコピーを各々設定部数分行なう配布コピー機能を有する画像形成装置であって、
原稿の画像データから原稿の先頭ページの画像が白黒画像であるか否かを判定する白黒画像判定手段と、
前記白黒画像判定手段により原稿の先頭ページの画像が白黒画像であると判断された場合に、白黒コピー及びカラーコピーによる印刷物各部の少なくとも一方の先頭ページを検出する先頭ページ検出手段と、
前記先頭ページ検出手段により検出された前記白黒コピー及びカラーコピーによる印刷物各部の少なくとも一方の先頭ページに白黒コピーとカラーコピーを識別するためのマークを付与するマーク付与手段とを備えたことを特徴とする画像形成装置。
【請求項２】
カラーコピーを行う際に、原稿が白黒画像またはカラー画像であるかにより白黒コピーのモード及びカラーコピーのモードを切り替える自動切替モードが設定されているか否かを判定するモード判定手段をさらに備え、
前記モード判定手段によって、自動切替モードが設定されていると判定された場合に、前記マーク付与手段は前記白黒コピー及びカラーコピーによる印刷物各部の少なくとも一方の先頭ページに前記マークを付与することを特徴とする画像形成装置。
【発明の詳細な説明】
【０００１】
【発明の属する技術分野】
本発明は、複写機、ファクシミリ装置、複合機等の電子写真を利用した画像形成装置に関する。
【０００２】
【従来の技術】
従来、資料原稿をカラーコピーしたカラーコピー印刷物と白黒コピーした白黒コピー印刷物をそれぞれ希望部数分作成し、配布するためにカラーコピーの印刷部数及び白黒コピーの印刷部数を同時に設定することができる配布コピー機能を備えた画像形成装置が知られている（例えば、特許文献１参照）。
【０００３】
【特許文献１】
特開平１１−３３８２１５号公報
【特許文献２】
特開２００２−１４０１７８号公報
【０００４】
【発明が解決しようとする課題】
従来の画像形成装置では、配布コピー機能を利用してコピ−を行う場合に、原稿の一枚目の画像が白黒画像であると、カラーコピー及び白黒コピーによる印刷物の先頭ページが同じ白黒画像となり、印刷した各部がカラーコピーか白黒コピーかを区別するために各部の２ページ目以降の画像を確認しなくてはならないため、印刷物を取り扱う際の手間がかかるという問題点があった。特に原稿から読み取った画像データから白黒画像及びカラー画像を判別し、判別結果に応じて白黒コピーモードかカラーコピーモードに切り替える自動切替モードが選択された場合、カラーコピーの印刷物及び白黒コピーの印刷物の先頭ページにおける画像の色彩、明度差等が全く同じになるため、両者の区別ができなかった。
【０００５】
本発明は、上記問題点を解決するためになされたものであり、配布コピー機能により得られたカラーコピーの印刷物と白黒コピーの印刷物との識別を容易になし得る画像形成装置を提供することが目的である。
【０００６】
【課題を解決するための手段】
請求項１に係る画像形成装置は、複数枚からなる原稿の束に対する白黒コピー及びカラーコピーを各々設定部数分行なう配布コピー機能を有する画像形成装置であって、原稿の画像データから原稿の先頭ページの画像が白黒画像であるか否かを判定する白黒画像判定手段と、前記白黒画像判定手段により原稿の先頭ページの画像が白黒画像であると判断された場合に、白黒コピー及びカラーコピーによる印刷物各部の少なくとも一方の先頭ページを検出する先頭ページ検出手段と、前記先頭ページ検出手段により検出された前記白黒コピー及びカラーコピーによる印刷物各部の少なくとも一方の先頭ページに白黒コピーとカラーコピーを識別するためのマークを付与するマーク付与手段とを備えたことを特徴とする。
【０００７】
この構成によれば、配布コピー機能が利用されたコピーにおいては、前記白黒画像検出手段によって原稿の先頭ページの画像が白黒画像であると判断されると、前記マーク付与手段によって、白黒コピー又はカラーコピーによる印刷物各部の先頭ページに所定のマークが付与される。このマークにより白黒コピー、カラーコピーのいずれの印刷物であるかが各部の一枚目で判別可能となり、印刷物を取り扱う際の利便性が向上する。なお、前記マークは白黒コピーの印刷物とカラーコピーの印刷物で異なるものを付してもよいし、白黒コピーの印刷物、カラーコピーの印刷物の一方のみに付するようにしてもよい。
【０００８】
請求項２に係る画像形成装置は、カラーコピーを行う際に、原稿が白黒画像またはカラー画像であるかにより白黒コピーのモード及びカラーコピーのモードを切り替える自動切替モードが設定されているか否かを判定するモード判定手段をさらに備え、前記モード判定手段によって、自動切替モードが設定されていると判定された場合に、前記マーク付与手段は前記白黒コピー及びカラーコピーによる印刷物各部の少なくとも一方の先頭ページに前記マークを付与することを特徴とする。
【０００９】
この構成によれば、自動切換モードが設定された場合に限定して、識別マークを付与しているので、識別マークを白黒コピー及びカラーコピーの印刷物を区別するための目印として必要なときにのみ付することができ、利便性が向上する。
【００１０】
【発明の実施の形態】
以下、本発明に係る画像形成装置の一例として本発明の一実施の形態によるデジタル複合機について図面を参照しながら説明する。
【００１１】
図１は、本発明の一実施の形態によるデジタル複合機の機械的構成を主に示す側面概略図である。
【００１２】
デジタル複合機１は、本体部２００と、本体部２００の用紙搬出側、例えば左側に配設された用紙後処理部３００と、ユーザが種々の操作指令等を入力するための操作部４００と、本体部２００の上部に配設された原稿読み取り部５００と、原稿読み取り部５００の上部に配設された原稿給送部６００とから構成される。
【００１３】
原稿給送部６００は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００１４】
操作部４００は、タッチパネル４０１、スタートキー４０２及びテンキー４０３等を備える。タッチパネル４０１は、種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷枚数等を入力するために用いられる。
【００１５】
本体部２００は、複数の給紙カセット２０１、複数の給紙ローラ２０２、転写ローラ２０３、感光体ドラム２０５、中間転写体ローラ２０４、露光装置２０６、イエロー、マゼンタ、シアン、ブラックの各色用の現像装置２０７Ｙ，２０７Ｍ，２０７Ｃ，２０７Ｋ、定着ローラ２０８、排出口２０９、及び排出トレイ２１０等を備える。
【００１６】
感光体ドラム２０５は、矢印方向に回転しながら帯電装置（図示省略）によって一様に帯電される。露光装置２０６は、原稿読み取り部５００で読み取られた原稿の画像データに応じて変調されたレーザ光を感光体ドラム２０５上に走査し、ドラム表面に各色毎の静電潜像を形成する。現像装置２０７Ｙ，２０７Ｍ，２０７Ｃ，２０７Ｋは、各色の現像剤を感光体ドラム２０５に供給して各色別のトナー画像を形成する。中間転写体ローラ２０４は、感光体ドラム２０５から各色のトナー像を転写され、中間転写体ローラ２０４上にカラーのトナー像が形成される。
【００１７】
一方、給紙ローラ２０２は、印刷用紙が収納された給紙カセット２０１から印刷用紙を引き出し、転写ローラ２０３まで給送する。転写ローラ２０３は、搬送された印刷用紙に中間転写体ローラ２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００１８】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００１９】
図２は、図１に示すデジタル複合機の制御ブロック図である。デジタル複合機１は、スキャナ部１１、画像処理部２１、プリンタ部３１、制御部４１、操作パネル部５１、ネットワークＩ／Ｆ（インターフェース）部７１、及びＨＤＤ（ハードディスクドライブ）７４を備える。
【００２０】
操作パネル部５１は、図１に示すタッチパネル４０１等から構成されるタッチパネル部５２、及び図１に示すスタートキー４０２及びテンキー４０３等から構成される操作キー部５３を含む。タッチパネル部５２は、タッチパネルとＬＣＤ（Ｌｉｑｕｉｄ  Ｃｒｙｓｔａｌ  Ｄｉｓｐｌａｙ）とを組み合わせたタッチパネルユニット等から構成され、種々の操作画面を表示するとともに、ユーザが当該部分をタッチすることにより種々の操作指令を入力するための操作ボタン等を表示する。操作キー部５３は、ユーザが印刷実行指令等を入力するために用いられる。
【００２１】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、Ｒ（赤）、Ｇ（緑）、Ｂ（青）の各色毎に原稿画像を読み取り、読み取った画像に対応する画像データを画像処理部２１へ出力する。
【００２２】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、プリンタ部３１へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００２３】
プリンタ部３１は、図１に示す給紙カセット２０１及び給紙ローラ２０２等から構成される用紙搬送部３２、図１に示す中間転写体ローラ２０４、感光体ドラム２０５、露光装置２０６及び現像装置２０７Ｙ，２０７Ｍ，２０７Ｃ，２０７Ｋ等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを記録紙に印刷する。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００２４】
ネットワークＩ／Ｆ部７１は、ネットワークインタフェース（１０／１００Ｂａｓｅ−ＴＸ）等を用い、ＬＡＮを介して外部装置との間での種々のデータの送受信を制御する。ＨＤＤ７４は、スキャナ部１１によって読み取られた画像データ及び当該画像データに設定されている出力形式等を記憶する。
【００２５】
制御部４１は、ＣＰＵ４２、ＣＰＵ４２により実行される種々のプログラムデータなどを予め記憶するＲＯＭ４３、及びＣＰＵ４２の作業領域としてのＲＡＭ４４等を含み、装置各部を制御する。ＣＰＵ４２は、配布コピーモード判定部６０、白黒／カラー判定部６１、カラーモード判定部６２、先頭ページ検出部６３及びマーク合成部６４を備え、ＲＯＭ４３は識別マーク記憶部４５を備える。
【００２６】
配布コピーモード判定部６０は、配布コピーモードがタッチパネル部５２により選択されたか否かを判定する。白黒／カラー判定部６１は、スキャナ部１１で読み取られた原稿の画像データから原稿の画像が白黒であるかカラーであるかを判別する。この白黒画像かカラー画像の判別は、ＣＣＤ１３で各色毎に読み取った各色の画像データの色成分比を例えば原稿の一部領域について算出することで行なう。
【００２７】
カラーモード判定部（モード判定手段）６２は、配布コピーモードのカラーコピーモードとして、通常のカラーモードまたは自動カラーモード（自動切換モード）のいずれかがタッチパネル部５２により設定されているかを判定する。ここで、自動カラーコピーモードでは、白黒／カラー判定部６１はスキャナ部１１に読み取られた原稿の画像データから原稿画像が白黒画像またはカラー画像であるかを判別し、原稿画像が白黒画像である場合は、画像形成部３３はブラックの現像剤を用いて画像形成を行い、原稿画像がカラー画像である場合は、画像形成部３３はイエロー、マゼンタ、シアン、ブラック全色の現像剤を用いて画像形成を行う。これに対し、カラーモードでは、原稿の画像が白黒画像、カラー画像のいずれにしても、画像形成部３３は４色のトナーを用いて画像形成を行う。
【００２８】
先頭ページ検出部６３は、配布コピーモードにおいて原稿のカラーコピーが一部ずつ順番に行われている際に、スキャナ部１１による原稿読取時にカウントされた原稿の枚数からカラーコピーの印刷物各部の先頭ページを検出する。
【００２９】
マーク合成部６４は、カラーコピーの印刷物の先頭ページの隅部にカラーコピーの印刷物であることを識別するための識別マークが付与されるように画像メモリ２４に記憶される原稿の先頭ページの画像データと識別マーク記憶部４５に記憶される識別マークデータとを合成する。
【００３０】
図３は図２に示すデジタル複合機による配布コピーモードの処理を説明するためのフローチャートである。
【００３１】
タッチパネル部５２の初期画面には、図５に示す機能リスト画面Ｇ１が表示されており（ステップＳ１）、機能リスト画面Ｇ１から配布コピーキーＫ１が押下されると、配布コピーモード判定部６０により配布コピーモードが選択されたことが判断され、（ステップＳ３）、配布コピー設定画面がタッチパネル部５２に表示される（ステップＳ５）。図６はタッチパネル部５２に表示される配布コピー設定画面の一例である。配布コピー設定画面Ｇ２には、白黒コピー及びカラーコピーの部数を入力可能なテンキーが表示される画面（図示省略）へ移行するための「テンキー」キーＫ１，２及び白黒コピー及びカラーコピーの設定部数の増減が可能な増減キーＫ３〜６が表示されており、テンキーまたは増減キーＫ３〜６により白黒コピー及びカラーコピーの部数が入力される。また、配布コピー設定画面Ｇ２には、「カラーモード」キーＫ７及び「自動カラーモード」キーＫ８が表示されており、いずれかのキーが押下されることによってカラーコピーの出力モードがカラーモード又は自動カラーモードに設定される。
【００３２】
次に、ステップＳ７において、スタートキー４０２が押下されたか否かが判断され、スタートキー４０２が押下された場合は白黒コピー及びカラーコピーの印刷部数等の条件が設定されたと判断され、ステップＳ９に移行し、スキャナ部１１により原稿の画像データが読み込まれる。
【００３３】
次に、ステップＳ１１において、白黒／カラー判定部６１によりスキャナ部１１により読み込まれた画像データから原稿の先頭ページの画像が白黒画像またはカラー画像であるかが判別され、カラー画像であると判別された場合は、ステップＳ１３の通常のカラーコピーモードに移行し、白黒画像であると判別された場合はステップＳ１２に進む。ステップＳ１２では、カラーモード判定部６２により、自動カラーモードが設定されているか否かが判断され、自動カラーモードが設定されていないと判断された場合はステップＳ１３の通常のカラーコピーモードに移行し、一方、自動カラーモードが設定されていると判断された場合は、ステップＳ１５の本発明のカラーコピーモードに移行する。
【００３４】
ステップＳ１３では、スキャナ部１１により読み出された複数枚の原稿の画像データが順次記録紙上に形成される。ステップＳ１５では、スキャナ部１１により読み込まれた複数枚の原稿の画像データが順次記録紙上に形成されると共にカラーコピーが複数部数設定されている場合は各部の先頭ページに識別マークが付与される。そして、ステップ１３またはＳ１５において、カラーコピーモードにより設定部数分のカラーコピーが終了すると、ステップＳ１７の白黒コピーモードに移行し、設定部数分の白黒コピーが行なわれる。
【００３５】
図４は本発明のカラーコピーモードの際に行なわれる画像形成処理を説明するためのフローチャートである。
【００３６】
ステップＳ３０において、マーク合成部６４により画像メモリ２４に記憶される原稿の先頭ページの画像データと識別マーク記憶部４５に記憶される識別マークデータとが合成される。ステップＳ３１において、画像形成部３３により記録紙上に画像形成が行なわれている間、先頭ページ検出部６３により現在処理中のページ数が原稿の何ページ目に該当するかが判断され、原稿の１ページ目であると判断された場合は、ステップＳ３３に進み、画像形成部３３により原稿の１ページ目の画像データが記録紙上に形成されると共に識別マークが記録紙の隅部に原稿画像に重ね合わせて形成される。先頭ページ検出部６３により現在処理中のページが原稿の２ページ目以降であると判断された場合は、ステップＳ３５に進み、画像形成部３３により原稿の画像がそのまま記録紙上に形成される。
【００３７】
次に、ステップＳ３７において、カラーコピーモードにより設定部数分のコピーが全て終了したか否かが判断され、全て終了した場合は、ステップＳ１７の白黒コピーモードに移行し、設定部数分のコピーが終了していない場合はステップＳ３１に戻り、引き続きカラーコピーが行なわれる。
【００３８】
図７は本発明のカラーコピーモードにより得られたカラーコピーの印刷物の一例を示す図である。
【００３９】
自動カラーモードにおいて、原稿の１ページ目の画像が白黒画像であり、２枚目以降がカラー画像である場合は、白黒／カラー判定部６１によってスキャナ部１１により読み込まれた原稿の画像データから原稿の１ページ目の画像が白黒画像であると判別され、図７（ａ）に示すように、画像形成部３３によって記録紙Ｐ１に原稿の１ページ目の白黒画像が形成されると共に原稿の白黒画像に重ねて例えば赤い丸い形状からなる識別マークＹ１が付与される。また、識別マークは、図７（ｂ）に示すように、赤い文字からなる「カラーコピー」を識別マークＹ２として用いる等種々の変更が可能である。このように識別マークは模様、文字等どのようなものでもよいが、色についてはユーザが記録紙上の白黒画像と識別マークを容易に区別できるようにカラーが好ましい。また、識別マークの形状，色，大きさ及び配置等の条件が予め識別マーク記憶部４５に記憶されており、これらの条件が表示されたタッチパネル部５２からユーザが選択できるような構成にしてもよい。
【００４０】
このように、本実施形態によれば、配布コピーモードが選択され、白黒／カラー判定部６１及びカラーモード判定部６２の判定結果によって、原稿の一枚目の画像が白黒画像であり、かつ、自動カラーモードが設定されている場合は、カラーコピーモードにおいて、マーク合成部６４により原稿の１ページ目の白黒画像データ及び識別マーク記憶部４５に記憶される識別マークデータが合成され、印刷終了後にカラーコピーの印刷物の先頭ページには識別マークが付与されるので、ユーザは白黒コピー及びカラーコピーの印刷物の表紙を見るだけで容易にそのコピー様式を判別できるようになり、印刷物を取り扱う際の利便性の向上を図ることができる。
【００４１】
なお、本実施形態ではカラーコピーの印刷物の１ページ目に識別マークを付与しているが、これに限定されず、白黒コピーの印刷物の１ページ目に識別マークを付与するものでもよく、また、カラーコピーの印刷物及び白黒コピーの印刷物に対応して１ページ目の画像データにそれぞれ異なる識別マークデータを合成して、各印刷物の表紙に互いに異なる識別マークを付与するようにしても良い。
【００４２】
また、本実施形態では自動カラーモードが設定されている場合に限定してカラーコピーの印刷物の表紙に識別マークを付しているが、カラーモードが設定されている場合も同様にカラーコピーの印刷物及び白黒コピーの印刷物の少なくとも一方の表紙に識別マークを付与するようにしてもよい。
【００４３】
【発明の効果】
本発明によれば、配布コピー機能が利用されたコピーにおいては、原稿の先頭ページの画像が白黒画像である場合は、白黒コピーによる印刷物及びカラーコピーによる印刷物の少なくとも一方の先頭ページに所定のマークが付与されるので、白黒コピー、カラーコピーのいずれの印刷物であるかが各部の一枚目で判別可能となり、印刷物を取り扱う際の利便性が向上する。
【図面の簡単な説明】
【図１】本発明の一実施の形態によるデジタル複合機の構成を主に示す側面概略図である。
【図２】図１に示すデジタル複合機の制御ブロック図である。
【図３】図２に示すデジタル複合機による配布コピーモードの処理を説明するためのフローチャートである。
【図４】カラーコピーモードの際に行なわれる画像形成処理を説明するためのフローチャートである。
【図５】タッチパネル部に表示される機能リスト画面の一例を示す図である。
【図６】タッチパネル部に表示される配布コピー設定画面の一例を示す図である。
【図７】カラーコピーモードにより得られたカラーコピーの印刷物の一例を示す図である。
【符号の説明】
４１  制御部
４２  ＣＰＵ
４３  ＲＯＭ
４４  ＲＡＭ
４５  識別マーク記憶部
６０  配布コピーモード判定部
６１  白黒／カラー判定部
６２  カラーモード判定部
６３  先頭ページ検出部
６４  マーク合成部
【図１】
2005024800.tif 000003
【図２】
2005024800.tif 000004
【図３】
2005024800.tif 000005
【図４】
2005024800.tif 000006
【図５】
2005024800.tif 000007
【図６】
2005024800.tif 000008
【図７】
2005024800.tif 000009